(57)【特許請求の範囲】
【請求項１】
ＳＳＢ送受信をするＳＳＢ送受信モードとＣＷ送受信をするＣＷ送受信モードとが選択可能にされた無線通信機において、ＳＳＢ受信状態中にＣＷキーがダウンされたことを検出する検出手段と、ＳＳＢ受信モードからＣＷ送信モードへのモードを自動的に切り換えることを指示するモード自動切り換え指示手段と、検出手段によりＣＷキーのダウンが検出され、かつモード自動切り換え指示がされているときＳＳＢ受信モードからＣＷ送信モードへモードを自動的に切り換えると共に、ＣＷ送信周波数をＳＳＢ受信中における受信周波数とＣＷ送受信モードにて予め設定したＣＷピッチ周波数との和または差の周波数に設定変更するＣＷ送信設定手段と、ＣＷキーのキーイング動作継続を判別するＣＷ送信継続判定手段とを備えて、ＣＷ送信継続と判定されているとき設定変更された送信周波数でＣＷ送信を継続させることを特徴とする無線通信機。
【発明の詳細な説明】
【０００１】
【発明の属する技術分野】
本発明はＳＳＢ送受信をするＳＳＢ送受信モードとＣＷ送受信をするＣＷ送受信モードとが選択可能な無線通信機に関する。
【０００２】
【従来の技術】
従来のこの種の無線通信機において、ＳＳＢ受信モードにより図４（ａ）に示すように受信周波数（＝送信周波数）ｆＴＸにてＳＳＢの受信をしているときに、送信周波数ｆＴＸ〃のＣＷ局を受信した場合、ｆＴＸとｆＴＸ〃との差の周波数ｆｂがビート音として受信されてＣＷ送信がなされていることが判る場合がある。図４（ａ）においてａはＵＳＢの周波数スペクトルを示している。
【０００３】
このときに、受信ビート音を聞いて該受信ビート音ｆｂに対するＣＷ局と交信したい場合がある。ここで、ＣＷ送受信モードにおいて、相手ＣＷ局の送信周波数に自局の送信周波数を一致させたとき、予め設定したビート音で相手ＣＷ局のＣＷ送信を聞こえるようにする。このときこの予め設定したビート音の周波数をＣＷピッチ周波数ｆｐｉと記す。
【０００４】
上記の相手ＣＷ局と交信したいために、この無線通信機によるときはＳＳＢ送受信モードからＣＷ送受信モードに手動操作により切り換えると、相手ＣＷ局の送信周波数と自局の送信周波数が一致したときに、予め設定したピッチ周波数ｆｐｉのビート音で相手局の送信内容を聞くために、図４（ｂ）に示すように、送信周波数ｆＴＸをそのままにして、前記受信周波数のみを周波数ｆＴＸから自動的にｆＲＸ（＝ｆＴＸ−ｆｐｉ）に変更している。
【０００５】
このようにしたときは、自局からＣＷ送信時には送信周波数ｆＴＸで送信され、受信時には受信周波数ｆＲＸにて受信されることになる。
【０００６】
この無線通信機によるときは、周波数表示は送信周波数にて表示されるために、ＳＳＢ送受信の時もＣＷ送信の時も同一の周波数表示であって好都合ではある。
【０００７】
しかし、図４（ａ）に示したように、ＳＳＢ受信モードで受信している、かかる無線通信機では、ビート音ｆｂで受信している相手ＣＷ局の送信周波数は周波数ｆＴＸ〃（＝ｆＴＸ＋ｆｂ）であって、ＳＳＢ送受信モードからＣＷ送受信モードに手動操作により切り替えたときの新たなビート周波数は、ＣＷ送受信モードで設定したＣＷピッチ周波数ｆｐｉとＳＳＢ送受信モードでＣＷ送信を受信したときのビート音の周波数ｆｂとの和（ｆｐｉ＋ｆｂ＝ｆＴＸ〃−ｆＲＸ）となって、予め設定したＣＷピッチ周波数ｆｐｉからｆｂだけ離れることになり、中間周波フィルタの帯域幅によっては受信ビート音が聞こえず、交信できなくなるという問題点が生ずる。また、自局の送信周波数ｆＴＸが相手ＣＷ局の送信周波数ｆＴＸ〃からビート音の周波数ｆｂだけ離れているので、相手ＣＷ局も同様に、自局の送信周波数ｆＴＸが聞こえなくなる場合が生ずる。
【０００８】
また、一方、ＳＳＢ受信中に、ＣＷ送受信モードで予め設定したピッチ周波数ｆｐｉと同一周波数のビート音ｆｂを聞いて相手ＣＷ局と交信するために、モードをＣＷ送受信モードに切り換えたとき、図４（ｃ）に示すように、ＣＷ受信周波数がＳＳＢ送受信モードにおける送受信周波数ｆＴＸのままに維持され、相手ＣＷ局の送信周波数ｆＴＸ〃をビート音ｆｂ（＝ｆｐｉ）で受信し、送信のときには図４（ｄ）に示すように、ＣＷ送信周波数のみがｆＴＸ〃（＝ｆＴＸ＋ｆｐｉ）にされて、ｆＴＸ〃（＝ｆＴＸ＋ｆｐｉ）の周波数のＣＷ送信がなされるようにした無線通信機が存在する。
【０００９】
この後者の無線通信機によるときは、上記前者の無線通信機におけるような問題は解消される。
【００１０】
【発明が解決しようとする課題】
しかし、何れの無線通信機によってもＳＳＢ受信中にＣＷ送信に基づくビート音を受信したとき、相手ＣＷ局と交信するためには、ＳＳＢ受信モードからＣＷ送信モードに切り換え、かつＣＷキーの操作を開始しなければならず、この操作の間に相手ＣＷ局と他局との交信が行われて、相手ＣＷ局との交信の機会を逸する場合が生ずるという問題点があった。
【００１１】
本発明は、ＳＳＢ受信中にＣＷ送信に基づくビート音を受信したとき、一挙動でＣＷ送信局との交信開始が行える無線通信機を提供することを目的とする。
【００１２】
【課題を解決するための手段】
本発明にかかる無線通信機は、ＳＳＢ送受信をするＳＳＢ送受信モードとＣＷ送受信をするＣＷ送受信モードとが選択可能にされた無線通信機において、ＳＳＢ受信状態中にＣＷキーがダウンされたことを検出する検出手段と、ＳＳＢ受信モードからＣＷ送信モードへのモードを自動的に切り換えることを指示するモード自動切り換え指示手段と、検出手段によりＣＷキーのダウンが検出され、かつモード自動切り換え指示がされているときＳＳＢ受信モードからＣＷ送信モードへモードを自動的に切り換えると共に、ＣＷ送信周波数をＳＳＢ受信中における受信周波数とＣＷ送受信モードにて予め設定したＣＷピッチ周波数との和または差の周波数に設定変更するＣＷ送信設定手段と、ＣＷキーのキーイング動作継続を判別するＣＷ送信継続判定手段とを備えて、ＣＷ送信継続と判定されているとき設定変更された送信周波数でＣＷ送信を継続させることを特徴とする。
【００１３】
本発明にかかる無線通信機によれば、ＳＳＢ受信状態中にＣＷキーがダウンされたことが検出され、かつＳＳＢ受信モードからＣＷ送信モードへのモードを自動的に切り換えることが指示されているとき、ＳＳＢ受信モードからＣＷ送信モードへモードを自動的に切り換えると共に、ＣＷ送信周波数がＳＳＢ受信中における受信周波数とピッチ周波数との和または差の周波数数に設定変更されて、ＣＷキーのキーイング動作継続が判別されたときは、設定変更された送信周波数で送信が継続される。
【００１４】
したがって、本発明にかかる無線通信機によれば、ＳＳＢ受信中におけるＣＷキーのダウン操作により一挙動に自動的にＣＷ送信状態とされ、かつ送信周波数が相手ＣＷ局の送信周波数付近に設定されるため、相手ＣＷ局と時機を失することなく交信することができる。
【００１５】
【発明の実施の形態】
以下、本発明にかかる無線通信機を実施の形態によって説明する。
【００１６】
図１は本発明の実施の一形態にかかる無線通信機１の構成を示すブロック図である。
【００１７】
本発明の実施の一形態にかかる無線通信機１は、一部共通構成にした受信側２と送信側３とを備えている。
【００１８】
受信側２はアンテナ４からの外来信号をアンテナ送受信切り換えスイッチ５を介してミキサ６に供給し、ミキサ６に供給されている局部発振器２０の発振周波数とミキサ６にて周波数混合して中間周波信号に変換し、中間周波信号は帯域フィルタ７に供給して帯域制限をし、帯域制限された中間周波信号を中間周波増幅器８に供給して所定レベルにまで増幅し、増幅された中間周波信号をプロダクト検波器９に供給し、プロダクト検波器９に供給されているＢＦＯ２１の発振周波数と中間周波信号とをプロダクト検波器９にて乗算して検波し、検波出力を低周波増幅器１０に供給し、低周波増幅器１０の増幅出力をスピーカ１１に供給してスピーカ１１を駆動するように構成され、後記の制御回路２２と協働してＳＳＢ受信およびＣＷ受信が選択的に可能にされている。
【００１９】
送信側３は、マイクロフォン１２からの出力信号をマイクアンプ１３に供給して所定レベルにまで増幅し、ＳＳＢ／ＣＷ切り換えスイッチ１４を介して増幅されたマイクロフォンからの信号を平衡変調器１５に供給し、平衡変調器１５に供給されているＢＦＯ２１の発振周波数をキャリア周波数として平衡変調器１５にて平衡変調し、平衡変調器１５の変調出力を、ＣＷ送信モードのときにのみ後記のＣＷキー２８の出力によって作動、非作動が制御される中間周波増幅器１６に供給して所定のレベルにまで増幅し、増幅された中間周波信号をＳＳＢフィルタ１７に供給してＵＳＢ側、またはＬＳＢ側のみを選択してミキサ１８に供給し、ミキサ１８に供給されている局部発振器２０の発振出力周波数とＳＳＢフィルタ１７の出力とをミキサ１６にて周波数混合して出力増幅器１９に供給し、出力増幅器１９にて所定の電力にまで増幅して、アンテナ送受信切り換えスイッチ５を介してアンテナ４に供給して送信するように構成され、後記の制御回路２２と協働してＳＳＢ送信、ＣＷ送信が可能にされている。
【００２０】
さらに、無線通信機１には、無線通信機１を制御するためのマイクロコンピュータからなる制御回路２２を備えており、制御回路２２にはＰＴＴスイッチ２７の出力、ＣＷキー２８の出力、ＳＳＢ受信モードからＣＷ送信モードへモードを自動的に切り換えることを指示するモード自動切り換え指示スイッチ２９の出力が供給されている。
【００２１】
制御回路２２は、ＰＴＴスイッチ２７がオン状態のときにアンテナ送受信切り換えスイッチ５をＳＳＢ送信に切り換え、図示しないモード切り換えスイッチの指示に基づきＳＳＢ送受信モードとＣＷ送受信モードとに切り換え、ＣＷ送信に制御されているときＣＷキー２８の出力に基づいてＣＷ送信を行わせるべく、受信側２および送信側３と協働してＳＳＢ送受信およびＣＷ送受信を行わせるための、通常の無線通信機に対する機能を備えている。
【００２２】
制御回路２２は、さらに、ＳＳＢ受信モード中においてＣＷキー２８のダウンを検出するＣＷキーダウン検出手段２３と、ＣＷキーダウン検出手段２３によりＣＷキー２８のダウンが検出され、かつモード自動切り換え指示がされているときＣＷ送信周波数を演算して該演算された周波数に基づく周波数に局部発振器２０の発振周波数を設定する送信周波数演算設定手段２４と、ＣＷキーダウン検出手段２３によりＣＷキーダウンが検出され、かつモード自動切り換え指示がされているときＳＳＢ／ＣＷ切り換えスイッチ１４を制御してＳＳＢ受信からＣＷ送信に切り換え、かつ中間周波増幅器１６をＣＷ送信状態に切り換えるためのＳＳＢ受信／ＣＷ受信切り換え手段２５と、キーイング動作継続中であることを判定するＣＷ送信継続判定手段２６とを機能的に備えている。
【００２３】
上記のように構成された無線通信機１の作用を図２に示すフローチャートに基づいて説明する。
【００２４】
ＳＳＢ受信中において（ステップＳ１）、ＰＴＴスイッチ２７がオン状態にされたか否かがチェックされる（ステップＳ２）。ステップＳ２のチェックにおいてＰＴＴスイッチ２７がオン状態にされたと判別されたときは、ＳＳＢ送信に切り換えられて、ＳＳＢ送信のモードにされる。
【００２５】
ステップＳ２において、ＰＴＴスイッチ２７がオン状態にされていないと判別されたときはＣＷキー２８がダウンされたか否かがチェックされる（ステップＳ３）。ここで、ステップＳ３がＣＷキーダウン検出手段２３に対応している。
【００２６】
ステップＳ３において、ＣＷキー２８がダウンされていないと判別されたときはＳＳＢ受信が継続される。
【００２７】
ステップＳ３において、ＣＷキー２８がダウンされたと判別されるとモード自動切り換え指示スイッチ２９によりモード自動切り換え指示がされているか否かがチェックされる（ステップＳ４）。ステップＳ４において、モード自動切り換え指示がなされていないと判別されたときはＳＳＢ受信が継続される。
【００２８】
ステップＳ４において、モード自動切り換え指示がなされていると判別されたときはＳＳＢ受信からＣＷ送信に自動的に切り換えられ、かつ受信周波数はＳＳＢ受信のときの周波数のまま、送信周波数のみが演算され、さらに演算された送信周波数に設定される（ステップＳ５）。ここで、ステップＳ５が、送信周波数演算手段２４およびＳＳＢ受信／ＣＷ送信切り換え手段２５に対応している。
【００２９】
ステップＳ５における送信周波数の演算はｆＴＸ〃←（ｆＴＸ＋ｆｐｉ）によりなされ、該周波数の送信周波数とするべく局部発振器２０の発振周波数が変更される。局部発振器２０がＰＬＬ周波数シンセサイザ構成のときは、局部発振器２０の発振周波数の変更は該ＰＬＬ周波数シンセサイザの可変分周器の分周比を制御回路２２の出力に基づいて変更することによってなされる。ここで、ｆＴＸ〃はＣＷ送信周波数を示し、ｆＴＸはＳＳＢ受信のときの周波数のままであってＣＷ受信周波数である。また、ｆｐｉはＣＷ送受信モードにおいて予め設定したＣＷピッチ周波数である。
【００３０】
ここで、ステップＳ５における送信周波数の演算はｆＴＸ〃←（ｆＴＸ＋ｆｐｉ）によりなされるのはＳＳＢ送受信がＵＳＢで行われる場合あって、ＳＳＢ送受信がＬＳＢにて行われるときは、ステップＳ５における送信周波数の演算はｆＴＸ〃←（ｆＴＸ−ｆｐｉ）によりなされる。
【００３１】
ステップＳ５に続いて、無線通信機１はＳＳＢ受信状態からＣＷ送信状態に切り換え制御され（ステップＳ６）、続いてキーング動作中か否かがチェックされる（ステップＳ７）。ここで、ステップＳ７がＣＷ受信継続判定手段２６に対応している。
【００３２】
ステップＳ７におけるキーイング動作中か否かは、例えば、ＣＷキー２８が予め定めた期間を超えて継続してダウンされないときはキーイング動作は終了したと判別し、ＣＷキー２８が予め定めた期間未満の期間においてダウンされたときはキーイング動作中であると判別する。
【００３３】
ステップＳ７においてキーイング動作中であると判別されたときはＣＷ送信状態が継続される。ステップＳ７において、キーイング動作は終了したと判別されたときはステップＳ７に続いてＣＷ受信状態に制御される。
【００３４】
したがって、無線通信機１によれば、モード自動切り換え指示スイッチ２９によって、モード自動切り換え指示に設定されていて、ＳＳＢ受信中にピッチ周波数付近のビート音を聞き該受信ビート音に対する相手ＣＷ局と交信したいときは、ＣＷキー２８をダウン操作することによってＣＷ送信をするものと判別され、受信周波数はＳＳＢ受信状態のときの周波数のまま、送信周波数が相手ＣＷ局の送信周波数付近に変更され、キーイング動作を継続することによって相手ＣＷ局と交信をすることができる。この場合に一々ＣＷ送信モードに手動操作によってモード切り換え手段を切り換え、それからＣＷキーを操作する必要もなく、ＣＷキー２８をダウン操作するという一挙動でＣＷ送信に切り替わり、かつ相手局の送信周波数付近による送信が行われるために、交信時期を失することはない。
【００３５】
次に本発明の実施の一形態にかかる無線通信機１の変形例について説明する。
【００３６】
本発明の実施の一形態にかかる無線通信機１の変形例では、図３のフローチャートに示す如く、ステップＳ１〜ステップＳ７までは図２のフローチャートにおける動作と同じである。
【００３７】
ステップＳ７において、キーイング動作中は終了したと判別されたときは、ＣＷ送信のモードからＳＳＢ受信のモードに変更され、送信周波数が元のＳＳＢ受信時の周波数に変更、すなわちｆＴＸ←ｆＴＸ〃に変更されて（ステップＳ１１）、再びＳＳＢ受信状態に戻される（ステップＳ１）。
【００３８】
【発明の効果】
以上説明したように、本発明にかかる無線通信機によれば、ＳＳＢ受信中におけるＣＷキーのダウン操作により一挙動に自動的にＣＷ送信状態とすることができ、かつ送信周波数が相手ＣＷ局の送信周波数付近に設定されるため、相手ＣＷ局と時機を失することなく交信することができる。
【図面の簡単な説明】
【図１】本発明の実施の一形態にかかる無線通信機の構成を示すブロック図である。
【図２】本発明の実施の一形態にかかる無線通信機の作用の説明に供するフローチャートである。
【図３】本発明の実施の一形態にかかる無線通信機の変形例の作用の説明に供するフローチャートである。
【図４】従来の無線通信機のＳＳＢ受信状態からＣＷ送信状態への移行の説明に供する模式説明図である。
【符号の説明】
１  無線通信機
２  受信側
３  送信側
５  アンテナ送受信切り換えスイッチ
６  ミキサ
９  プロダクト検波器
１４  ＳＳＢ／ＣＷ切り換えスイッチ
１５  平衡変調器
２０  局部発振器
２１  ＢＦＯ
２２  制御回路
２３  ＣＷキーダウン検出手段
２４  送信周波数演算設定手段
２５  ＳＳＢ受信／ＣＷ送信切り換え手段
２６  ＣＷ送信継続判定手段
２８  ＣＷキー
２９  モード自動切り換え指示スイッチ
【図１】
0003626067.tif 000002
【図２】
0003626067.tif 000003
【図３】
0003626067.tif 000004
【図４】
0003626067.tif 000005